(57)【特許請求の範囲】
【請求項１】
紙幣の搬送を行う搬送部と、
前記搬送部に設けられ、当該搬送部により搬送される紙幣の記番号を読み取る識別部と、
前記搬送部の制御を行う制御部と、
を備えた紙幣処理装置であって、
前記制御部は、前記搬送部において紙幣の搬送エラーが生じたときに、当該搬送エラーに係る紙幣の記番号に基づいて、同一の記番号の紙幣のみを前記紙幣処理装置内に受け入れ可能とする同一記番号紙幣受入モードを実行するようにしたことを特徴とする紙幣処理装置。
【請求項２】
前記識別部は、前記紙幣の少なくとも金種の識別を行い、
前記制御部は、前記搬送部において紙幣の搬送エラーが生じたときに、当該搬送エラーに係る紙幣と同一の金額または金種の紙幣を前記紙幣処理装置内に受け入れ可能とする同一金額／金種紙幣受入モードも実行することができるようになっており、
前記制御部において、前記同一記番号紙幣受入モードまたは前記同一金額／金種紙幣受入モードのうちいずれか一方の紙幣受入モードが実行されるようになっていることを特徴とする請求項１記載の紙幣処理装置。
【請求項３】
前記搬送部において紙幣の搬送エラーが生じたときに、当該搬送エラーに係る紙幣が正券ではないと前記識別部により識別されていた場合には、前記制御部において前記同一金額／金種紙幣受入モードが選択されるようになっていることを特徴とする請求項２記載の紙幣処理装置。
【請求項４】
前記同一金額／金種紙幣受入モードが実行される際に、前記制御部において、搬送エラーに係る紙幣の記番号と、搬送エラーが生じた後に前記紙幣処理装置内に受け入れられ前記識別部により読み取られた紙幣の記番号とが関連付けられることを特徴とする請求項２または３記載の紙幣処理装置。
【請求項５】
前記搬送部は、帯封紙幣の搬送を行うようになっており、
前記識別部は、当該搬送部により搬送される帯封紙幣における最外層にある紙幣の記番号を読み取るようになっており、
前記制御部は、前記搬送部において帯封紙幣の搬送エラーが生じたときに、前記識別部により読み取られた、当該搬送エラーに係る帯封紙幣における最外層にある紙幣の記番号に基づいて、前記紙幣処理装置に投入された複数のバラ紙幣に、前記記番号のバラ紙幣が含まれている場合には、当該複数のバラ紙幣を前記紙幣処理装置内に受け入れるよう前記搬送部の制御を行うことを特徴とする請求項１記載の紙幣処理装置。
【請求項６】
紙幣処理装置による紙幣処理方法であって、
搬送部により紙幣の搬送を行う工程と、
識別部によって、前記搬送部により搬送される紙幣の記番号を読み取る工程と、
を備え、
前記識別部により識別された後、前記搬送部において紙幣の搬送エラーが生じたときに、当該搬送エラーに係る紙幣の記番号に基づいて、同一の記番号の紙幣のみを前記紙幣処理装置内に受け入れ可能とする同一記番号紙幣受入モードが実行されることを特徴とする紙幣処理方法。
【請求項７】
前記識別部によって、前記搬送部により搬送される前記紙幣の金種の識別が行われ、
前記識別部により識別された後、前記搬送部において紙幣の搬送エラーが生じたときに、当該搬送エラーに係る紙幣と同一の金額または金種の紙幣を前記紙幣処理装置内に受け入れ可能とする同一金額／金種紙幣受入モードも実行することができるようになっており、
前記紙幣処理装置において、前記同一記番号紙幣受入モードまたは前記同一金額／金種紙幣受入モードのうちいずれか一方のモードが実行されるようになっていることを特徴とする請求項６記載の紙幣処理方法。
【発明の詳細な説明】
【技術分野】
【０００１】
本発明は、紙幣の入金処理や出金処理等の処理を行う紙幣処理装置および紙幣処理方法に関し、とりわけ、紙幣の管理の厳正化を図ることができ、紙幣のジャム等の搬送エラーが発生した場合でも違算の発生を抑制することができる紙幣処理装置および紙幣処理方法に関する。
【背景技術】
【０００２】
従来から、紙幣の入金処理や出金処理等の処理を行う紙幣処理装置として、様々な種類のものが知られている。例えば、特許文献１には、紙幣の入金処理時において紙幣の記番号を読み取り、この読み取られた記番号をＲＡＭに記憶させ、紙幣のジャム（詰まり）が発生したときに表示画面にジャム位置を表示させるとともにジャムの紙幣の記番号を表示させるような紙幣処理装置が開示されている。
【先行技術文献】
【特許文献】
【０００３】
【特許文献１】特開平１０−１４３７１８号公報
【発明の概要】
【発明が解決しようとする課題】
【０００４】
しかしながら、特許文献１に開示されるような従来の紙幣処理装置では、紙幣のジャム等の搬送エラーが発生したときに搬送エラーに係る紙幣の記番号を表示画面に表示させることはできるが、搬送エラーに係る紙幣と同一の紙幣を紙幣処理装置内に戻さないといけないという強制力はなく、紙幣の処理の厳正化を図ることができないという問題がある。具体的には、紙幣の搬送エラーが発生した場合、装置内の在高が変わらないよう、操作者に対して同一の紙幣を装置内に戻させるようにするために、搬送エラーに係る紙幣の記番号を表示画面に表示している。しかしながら、紙幣の搬送エラーが発生した場合、搬送エラーに係る紙幣と金額や金種が同じであれば、搬送エラーに係る紙幣とは別の紙幣を紙幣処理装置内に戻しても当該紙幣処理装置に収納される紙幣の在高は変わらないため、例えば操作者が手持ちの現金や顧客から預かった現金等の管理範囲が異なる紙幣を紙幣処理装置内に戻してもエラーにはならない。しかしながら、このような場合には違算の原因になりかねないという問題がある。
【０００５】
本発明は、このような点を考慮してなされたものであり、紙幣の管理の厳正化を図ることができ、紙幣のジャム等の搬送エラーが発生した場合でも違算の発生を抑制することができる紙幣処理装置および紙幣処理方法を提供することを目的とする。
【課題を解決するための手段】
【０００６】
本発明は、紙幣の搬送を行う搬送部と、前記搬送部に設けられ、当該搬送部により搬送される紙幣の少なくとも金種の識別を行うとともに、紙幣の記番号を読み取る識別部と、前記搬送部の制御を行う制御部と、を備えた紙幣処理装置であって、前記制御部は、前記搬送部において紙幣の搬送エラーが生じたときに、当該搬送エラーに係る紙幣の記番号に基づいて、同一の記番号の紙幣のみを前記紙幣処理装置内に受け入れ可能とする同一記番号紙幣受入モードを実行するようにしたことを特徴とする紙幣処理装置である。
【０００７】
このような紙幣処理装置によれば、同一記番号紙幣受入モードが制御部において実行されたときには、搬送部において紙幣の搬送エラーが生じたときにこの搬送エラーに係る紙幣のみしか紙幣処理装置内に受け入れさせることができないようになるので、紙幣の管理の厳正化を図ることができ、紙幣のジャム等の搬送エラーが発生した場合でも違算の発生を抑制することができる。
【０００８】
本発明の紙幣処理装置においては、前記制御部は、前記搬送部において紙幣の搬送エラーが生じたときに、当該搬送エラーに係る紙幣と同一の金額または金種の紙幣を前記紙幣処理装置内に受け入れ可能とする同一金額／金種紙幣受入モードも実行することができるようになっており、前記制御部において、前記同一記番号紙幣受入モードまたは前記同一金額／金種紙幣受入モードのうちいずれか一方の紙幣受入モードが実行されるようになっていてもよい。このような紙幣処理装置によれば、搬送エラーに係る紙幣が損券等であり紙幣処理装置内に受け入れさせるのに好ましくない場合、制御部において同一金額／金種紙幣受入モードを選択することにより、搬送エラーに係る紙幣と同一の金額または金種の紙幣を紙幣処理装置内に受け入れさせることができるようになり、紙幣処理装置の運用上、融通が利くという利点がある。また、顧客に紙幣を至急に支払わなければならず、搬送エラーに係る紙幣を顧客に支払ってしまった場合でも、金種または金額が同じであれば搬送エラーに係る紙幣とは異なる紙幣を紙幣処理装置内に受け入れさせることができるようになり融通が利くという利点がある。
【０００９】
本発明の紙幣処理装置においては、前記搬送部において紙幣の搬送エラーが生じたときに、当該搬送エラーに係る紙幣が正券ではないと前記識別部により識別されていた場合には、前記制御部において前記同一金額／金種紙幣受入モードが選択されるようになっていてもよい。このような紙幣処理装置によれば、搬送エラーに係る紙幣が正券ではなく紙幣処理装置内に受け入れさせるのに好ましくない場合、金種または金額が同じであれば搬送エラーに係る紙幣とは異なる紙幣を紙幣処理装置内に受け入れさせることができるようになる。
【００１０】
本発明の紙幣処理装置においては、前記同一金額／金種紙幣受入モードが実行される際に、前記制御部において、搬送エラーに係る紙幣の記番号と、搬送エラーが生じた後に前記紙幣処理装置内に受け入れられ前記識別部により読み取られた紙幣の記番号とが関連付けられるようになっていてもよい。このことにより、搬送エラーに係る紙幣と、搬送エラーが生じた後に紙幣処理装置内に受け入れられた紙幣とが異なるものである場合でも、紙幣の管理の厳正化を図ることができ、違算の発生を抑制することができる。
【００１１】
本発明の紙幣処理装置においては、前記搬送部は、帯封紙幣の搬送を行うようになっており、前記識別部は、当該搬送部により搬送される帯封紙幣における最外層にある紙幣の記番号を読み取るようになっており、前記制御部は、前記搬送部において帯封紙幣の搬送エラーが生じたときに、前記識別部により読み取られた、当該搬送エラーに係る帯封紙幣における最外層にある紙幣の記番号に基づいて、前記紙幣処理装置に投入された複数のバラ紙幣に、前記記番号のバラ紙幣が含まれている場合には、当該複数のバラ紙幣を前記紙幣処理装置内に受け入れるよう前記搬送部の制御を行うようになっていてもよい。このような紙幣処理装置によれば、帯封紙幣のジャム等の搬送エラーが生じた場合であっても、搬送エラーに係る帯封紙幣を構成するバラ紙幣のみしか紙幣処理装置内に受け入れさせることができないようになるので、紙幣の管理の厳正化を図ることができ、帯封紙幣のジャム等の搬送エラーが発生した場合でも違算の発生を抑制することができる。
【００１２】
本発明は、紙幣処理装置による紙幣処理方法であって、搬送部により紙幣の搬送を行う工程と、識別部によって、前記搬送部により搬送される紙幣の少なくとも金種の識別を行うとともに、紙幣の記番号を読み取る工程と、を備え、前記識別部により識別された後、前記搬送部において紙幣の搬送エラーが生じたときに、当該搬送エラーに係る紙幣の記番号に基づいて、同一の記番号の紙幣のみを前記紙幣処理装置内に受け入れ可能とする同一記番号紙幣受入モードが実行されることを特徴とする紙幣処理方法である。
【００１３】
このような紙幣処理方法によれば、同一記番号紙幣受入モードが実行されたときには、搬送部において紙幣の搬送エラーが生じたときにこの搬送エラーに係る紙幣のみしか紙幣処理装置内に受け入れさせることができないようになるので、紙幣の管理の厳正化を図ることができ、紙幣のジャム等の搬送エラーが発生した場合でも違算の発生を抑制することができる。
【００１４】
本発明の紙幣処理方法においては、前記識別部により識別された後、前記搬送部において紙幣の搬送エラーが生じたときに、当該搬送エラーに係る紙幣と同一の金額または金種の紙幣を前記紙幣処理装置内に受け入れ可能とする同一金額／金種紙幣受入モードも実行することができるようになっており、前記紙幣処理装置において、前記同一記番号紙幣受入モードまたは前記同一金額／金種紙幣受入モードのうちいずれか一方のモードが実行されるようになっていてもよい。このような紙幣処理方法によれば、搬送エラーに係る紙幣が損券等であり紙幣処理装置内に受け入れさせるのに好ましくない場合、同一金額／金種紙幣受入モードを選択することにより、搬送エラーに係る紙幣と同一の金額または金種の紙幣を紙幣処理装置内に受け入れさせることができるようになり、紙幣処理装置の運用上、融通が利くという利点がある。また、顧客に紙幣を至急に支払わなければならず、搬送エラーに係る紙幣を顧客に支払ってしまった場合でも、金種または金額が同じであれば搬送エラーに係る紙幣とは異なる紙幣を紙幣処理装置内に受け入れさせることができるようになり融通が利くという利点がある。
【発明の効果】
【００１５】
本発明の紙幣処理装置および紙幣処理方法によれば、紙幣の管理の厳正化を図ることができ、紙幣のジャム等の搬送エラーが発生した場合でも違算の発生を抑制することができる。
【図面の簡単な説明】
【００１６】
【図１】本発明の一の実施の形態における紙幣処理装置の外観を示す斜視図である。
【図２】図１に示す紙幣処理装置の内部の構成を示す構成図である。
【図３】図１に示す紙幣処理装置の制御ブロック図である。
【図４】図１に示す紙幣処理装置における紙幣の入金処理の動作を示すフローチャートである。
【図５】図１に示す紙幣処理装置における紙幣の出金処理の動作を示すフローチャートである。
【図６】図１に示す紙幣処理装置において、搬送部において紙幣のジャム等の搬送エラーが生じたときの動作を示すフローチャートである。
【図７】本発明による紙幣処理装置の他の構成の外観を示す斜視図である。
【図８】図７に示す紙幣処理装置におけるバラ紙幣処理部の内部の構成を示す構成図である。
【図９】図７に示す紙幣処理装置における帯封紙幣処理部の内部の構成を示す構成図である。
【発明を実施するための形態】
【００１７】
以下、図面を参照して本発明の一の実施の形態について説明する。図１乃至図６は、本実施の形態に係る紙幣処理装置を示す図である。このうち、図１は、本実施の形態における紙幣処理装置の外観を示す斜視図であり、図２は、図１に示す紙幣処理装置の内部の構成を示す構成図であり、図３は、図１に示す紙幣処理装置の制御ブロック図である。また、図４は、図１に示す紙幣処理装置における紙幣の入金処理の動作を示すフローチャートであり、図５は、図１に示す紙幣処理装置における紙幣の出金処理の動作を示すフローチャートである。また、図６は、図１に示す紙幣処理装置において、搬送部において紙幣のジャム等の搬送エラーが生じたときの動作を示すフローチャートである。
【００１８】
まず、図１および図２を用いて、本実施の形態の紙幣処理装置１０の全体的な構成について概略的に説明する。図１に示すように、紙幣処理装置１０は略直方体形状の筐体１２を備えており、この筐体１２の前面には、当該筐体１２の外部から内部にバラ紙幣を投入するとともに筐体１２の内部から外部にバラ紙幣を投出するための入出金口２０が筐体１２の外部に露出するよう設けられている。入出金口２０には開口部が設けられており、この開口部にはシャッター機構２２が設けられている。そして、シャッター機構２２により入出金口２０の開口部の開閉が行われるようになっている。また、図２に示すように、筐体１２の下部には４つの収納カセット４０および１つの一時保留用収納カセット４２が略水平方向に沿って並列に設けられている。ここで、各収納カセット４０は、紙幣を金種別に収納するようになっている。また、一時保留用収納カセット４２は、入出金口２０により筐体１２の外部から内部に投入された紙幣を一時的に保留するようになっている。また、図２に示すように、筐体１２の内部には、紙幣を１枚ずつ搬送する搬送部３０が設けられており、この搬送部３０は、入出金口２０、各収納カセット４０および一時保留用収納カセット４２の間で紙幣の搬送を行うようになっている。
【００１９】
以下、このような紙幣処理装置１０の各構成要素について詳述する。
【００２０】
入出金口２０は、図１および図２に示すように、筐体１２の前面に設けられており、操作者がこの入出金口２０に複数の紙幣を集積状態で投入したりこの入出金口２０から複数の紙幣を集積状態で取り出したりすることができるよう構成されている。より具体的には、図２に示すように入出金口２０は鉛直方向に対して斜めに傾斜しており、この入出金口２０には紙幣が傾斜して投入されるようになっている。入出金口２０には紙幣繰出機構２１が設けられており、この紙幣繰出機構２１により入出金口２０に集積された紙幣が１枚ずつ搬送部３０に繰り出されるようになっている。また、紙幣の出金処理を行う際には、搬送部３０から紙幣が１枚ずつ入出金口２０に送られるようになっている。
【００２１】
このような入出金口２０は、金融機関への入金分の紙幣を筐体１２の外部から内部に投入するための投入部と、出金分の紙幣を筐体１２の内部から外部に投出するための投出部とを兼ね備えたものとして機能するようになっている。なお、図１および図２に示す例では投入部および投出部を兼ね備えた入出金口２０について説明しているが、投入部および投出部が別々に設けられていてもよい。この場合には、筐体１２の前面または上面に、入金口および出金口がそれぞれ設けられるようになる。
【００２２】
図１等に示すように、入出金口２０の開口部にはシャッター機構２２が設けられており、このシャッター機構２２により入出金口２０の開口部が開閉されるようになっている。より具体的には、操作者が入出金口２０に紙幣を投入したり入出金口２０から紙幣を取り出したりする際には、シャッター機構２２が開いて入出金口２０が筐体１２の外部に露出されるようになる。一方、入出金口２０に集積された紙幣が１枚ずつ紙幣繰出機構２１により搬送部３０に繰り出されたり搬送部３０から入出金口２０に紙幣が１枚ずつ送られたりする際には、シャッター機構２２が入出金口２０を閉じるようになる。
【００２３】
図２に示すように、搬送部３０には識別部３１が設置されている。識別部３１は、搬送部３０により搬送される紙幣の金種や正損、真偽等を識別するとともに、紙幣の記番号を読み取るようになっている。具体的には、識別部３１には撮像器（図示せず）が設けられており、識別部３１に送られた紙幣は撮像器により撮像され、この撮像データに基づいて紙幣の金種等の識別が行われるとともに紙幣の記番号の読み取りが行われるようになっている。また、筐体１２の内部には入金リジェクト部２４が設けられており、この入金リジェクト部２４は搬送部３０に接続されている。そして、紙幣の入金処理を行う際に、入出金口２０から紙幣繰出機構２１により搬送部３０に繰り出され識別部３１により識別された紙幣のうち、正常な紙幣ではないリジェクト紙幣であると識別された紙幣や、搬送異常（斜行、重送、連鎖）等により識別部３１で識別することができなかった紙幣は搬送部３０から入金リジェクト部２４に送られるようになっている。また、筐体１２の内部には出金リジェクト部２６が設けられており、この出金リジェクト部２６は搬送部３０に接続されている。そして、紙幣の出金処理を行う際に、各収納カセット４０等から搬送部３０に繰り出され識別部３１により識別された紙幣のうち、正常な紙幣ではないリジェクト紙幣であると識別された紙幣や、搬送異常等により識別部３１で識別することができなかった紙幣は搬送部３０から出金リジェクト部２６に送られるようになっている。
【００２４】
図２に示すように、各収納カセット４０および一時保留用収納カセット４２は、筐体１２の奥行き方向（図２の左右方向）に沿って並列に配置されている。各収納カセット４０および一時保留用収納カセット４２にはそれぞれ搬送部３０から１枚ずつ紙幣が送られるようになっている。ここで、各収納カセット４０および一時保留用収納カセット４２はそれぞれ扁平状の略直方体形状のものからなり、搬送部３０から送られた紙幣が積層状態に収納されるようになっている。また、各収納カセット４０および一時保留用収納カセット４２にはそれぞれ紙幣繰出機構４１、４３が設けられており、これらの収納カセット４０や一時保留用収納カセット４２に収納された紙幣は紙幣繰出機構４１、４３により１枚ずつ搬送部３０に繰り出すことができるようになっている。
【００２５】
また、搬送部３０における紙幣の搬送路３０ａの各分岐箇所には、分岐爪からなる分岐部材３６がそれぞれ設けられている。各分岐部材３６により、搬送部３０により搬送される紙幣の搬送先が決められるようになっている。
【００２６】
また、搬送部３０における入出金口２０の近傍の箇所には通過センサ４４が設けられている。この通過センサ４４は、入出金口２０から紙幣繰出機構２１により搬送部３０に紙幣が繰り出されたり、搬送部３０から入出金口２０に紙幣が送られたりするときに当該通過センサ４４を通過する紙幣を検出するようになっている。
【００２７】
また、図３に示すように、紙幣処理装置１０には、当該紙幣処理装置１０の各構成要素を制御するための制御部５０が設けられている。より具体的には、制御部５０には、紙幣繰出機構２１、シャッター機構２２、搬送部３０、識別部３１、分岐部材３６、紙幣繰出機構４１、４３、通過センサ４４等がそれぞれ接続されている。そして、識別部３１による紙幣の識別結果や記番号の読み取り情報が制御部５０に送られるとともに、通過センサ４４による紙幣の検出情報が制御部５０に送られるようになっている。また、制御部５０は、紙幣繰出機構２１、シャッター機構２２、搬送部３０、分岐部材３６、紙幣繰出機構４１、４３等に指令信号を送りこれらの構成要素の制御を行うようになっている。
【００２８】
また、制御部５０には、表示部５２、操作部５４および記憶部５６がそれぞれ接続されている。図１に示すように、表示部５２および操作部５４はそれぞれ筐体１２の上面に設けられており、表示部５２には紙幣処理装置１０による紙幣の処理状況、より具体的には例えば各収納カセット４０等に収納された紙幣の金種毎の枚数や合計金額等が表示されるようになっている。また、操作者は操作部５４により制御部５０に対して様々な指令を与えることができるようになっている。また、記憶部５６には、紙幣処理装置１０による紙幣の処理状況や、識別部３１によって読み取られた各紙幣の記番号、および紙幣処理装置１０の各収納カセット４０に収納された紙幣の金種毎の枚数や金額等の在高等が記憶されるようになっている。
【００２９】
また、制御部５０にはインターフェース５８が接続されており、このインターフェース５８を介して制御部５０は警備会社に設置されたホストコンピュータ等の上位装置と信号の送受信を行うことができるようになっている。また、制御部５０にはプリンタ等の印字部６０が接続されており、この印字部６０により、紙幣処理装置１０の各収納カセット４０等に収納された紙幣の金種毎の枚数や合計金額等が印字されるようになっている。
【００３０】
次に、上述のような構成からなる紙幣処理装置１０の動作について説明する。なお、以下に示す紙幣処理装置１０の動作は、制御部５０が各構成要素を制御することにより行われる。
【００３１】
最初に、紙幣処理装置１０への紙幣の入金処理について図４に示すフローチャートを用いて説明する。紙幣の入金処理を行う際には、まず、紙幣処理装置１０における入出金口２０のシャッター機構２２を開き、操作者が紙幣を入出金口２０に投入する（図４のＳＴＥＰ１）。そして、シャッター機構２２を閉じると、入出金口２０に投入された紙幣は紙幣繰出機構２１により１枚ずつ搬送部３０に繰り出される（図４のＳＴＥＰ２）。紙幣繰出機構２１により搬送部３０に繰り出された紙幣は当該搬送部３０により搬送され、識別部３１によりその金種や正損、真偽等の識別が行われるとともに紙幣の記番号が識別部３１により読み取られ、読み取られた紙幣の記番号は記憶部５６に記憶される（図４のＳＴＥＰ３）。そして、識別部３１により正常な紙幣ではないリジェクト紙幣であると識別された紙幣や、識別部３１により識別することができなかった紙幣は（図４のＳＴＥＰ４の「ＮＯ」）、搬送部３０から入金リジェクト部２４に送られ、この入金リジェクト部２４に集積される（図４のＳＴＥＰ５）。一方、識別部３１により正常な紙幣であると識別された紙幣は（図４のＳＴＥＰ４の「ＹＥＳ」）、一時保留用収納カセット４２に搬送され、この一時保留用収納カセット４２に積層状態で一時的に保留される（図４のＳＴＥＰ６）。
【００３２】
その後、入出金口２０から一時保留用収納カセット４２または入金リジェクト部２４に紙幣が全て送られると（図４のＳＴＥＰ７の「ＹＥＳ」）、表示部５２にその旨が表示される。そして、操作者が操作部５４により制御部５０に対して入金確定の指令を送ると（図４のＳＴＥＰ８の「ＹＥＳ」）、一時保留用収納カセット４２に一時的に保留された紙幣は１枚ずつ搬送部３０に繰り出され、識別部３１により識別が行われた後、各収納カセット４０に金種別に送られる（図４のＳＴＥＰ９）。このように、一時保留用収納カセット４２から各収納カセット４０に紙幣が全て送られると、紙幣の入金処理が終了する。一方、操作者が操作部５４により制御部５０に対して入金確定の指令ではなく返却指令を送ると（図４のＳＴＥＰ１０の「ＹＥＳ」）、一時保留用収納カセット４２に一時的に保留された紙幣は１枚ずつ搬送部３０に繰り出され、搬送部３０により入出金口２０に紙幣が戻される（図４のＳＴＥＰ１１）。このような紙幣の入金処理が行われている間、表示部５２には各金種の紙幣の収納枚数や合計収納金額等が表示され、記憶部５６にはこれらの情報が記憶される。また、インターフェース５８を介して制御部５０から上位装置に対して各金種の紙幣の収納枚数や合計収納金額等に係る信号が送信される。
【００３３】
次に、紙幣処理装置１０からの紙幣の出金処理について図５に示すフローチャートを用いて説明する。操作者が操作部５４により制御部５０に対して紙幣の出金処理の指令を与えると（図５のＳＴＥＰ１）、各収納カセット４０に収納された紙幣が紙幣繰出機構４１により搬送部３０に１枚ずつ繰り出され（図５のＳＴＥＰ２）、搬送部３０に繰り出された紙幣は識別部３１により識別が行われるとともに紙幣の記番号が識別部３１により読み取られ、読み取られた紙幣の記番号は記憶部５６に記憶される（図５のＳＴＥＰ３）。そして、正常な紙幣であると識別された紙幣は（図５のＳＴＥＰ４の「ＹＥＳ」）、搬送部３０から入出金口２０に１枚ずつ送られ、この入出金口２０で紙幣が積層状態に集積される（図５のＳＴＥＰ５）。一方、識別部３１により正常な紙幣ではないリジェクト紙幣であると識別された紙幣や、識別部３１により識別することができなかった紙幣は（図５のＳＴＥＰ４の「ＮＯ」）、搬送部３０から出金リジェクト部２６に送られ、この出金リジェクト部２６で集積される（図５のＳＴＥＰ６）。そして、出金処理の指令が制御部５０に与えられた際に指定された所定の金額分の紙幣が入出金口２０に送られると（図５のＳＴＥＰ７の「ＹＥＳ」）、入出金口２０のシャッター機構２２が開くことにより、操作者は入出金口２０に集積された紙幣を取り出すことができるようになる（図５のＳＴＥＰ８）。
【００３４】
次に、上述のような紙幣の入金処理や出金処理を行う際に搬送部３０において紙幣のジャム等の搬送エラーが生じた場合について以下に説明する。
【００３５】
本実施の形態の紙幣処理装置１０においては、搬送部３０において紙幣のジャム等の搬送エラーが生じたときのために、制御部５０において同一記番号紙幣受入モードおよび同一金額／金種紙幣受入モードの２つのモードが準備されている。ここで、同一記番号紙幣受入モードとは、搬送部３０において紙幣の搬送エラーが生じたときに、この搬送エラーに係る紙幣が紙幣処理装置１０から一旦取り出された後、当該搬送エラーに係る紙幣の記番号に基づいて、同一の記番号の紙幣のみを紙幣処理装置１０内に受け入れ可能とするモードのことをいう。また、同一金額／金種紙幣受入モードとは、搬送部３０において紙幣の搬送エラーが生じたときに、この搬送エラーに係る紙幣が紙幣処理装置１０から一旦取り出された後、当該搬送エラーに係る紙幣と同一の金額または金種の紙幣を紙幣処理装置１０内に受け入れ可能とするモードのことをいう。
【００３６】
制御部５０において、上述のような同一記番号紙幣受入モードおよび同一金額／金種紙幣受入モードのうちどちらの紙幣受入モードを実行するかが予め設定されている。通常は、制御部５０において、同一記番号紙幣受入モードが標準のモードとして設定されており、この同一記番号紙幣受入モードが実行されるようになっている。しかし、搬送部３０において紙幣の搬送エラーが生じたときに、当該搬送エラーに係る紙幣が正券ではないと識別部３１により識別されていた場合には、具体的には搬送エラーに係る紙幣が例えば損券であると識別部３１により識別されていた場合には、このような正券ではないと識別された紙幣を紙幣処理装置１０内に受け入れるのは好ましくないため、制御部５０において同一記番号紙幣受入モードから同一金額／金種紙幣受入モードに切り替えられるようになる。
【００３７】
また、同一金額／金種紙幣受入モードが実行される際に、制御部５０において、搬送エラーに係る紙幣の記番号と、搬送エラーが生じた後に紙幣処理装置１０内に受け入れられ識別部３１により読み取られた紙幣の記番号とが関連付けられ記憶部５６に記憶されるようになっている。
【００３８】
より詳細に説明すると、図４のフローチャートに示すような紙幣の入金処理が行われる場合、紙幣が一時保留用収納カセット４２に一時的に保留された後、制御部５０に対して入金確定の指令が送られると（図４のＳＴＥＰ８の「ＹＥＳ」参照）、一時保留用収納カセット４２に収納されている紙幣は紙幣処理装置１０内の紙幣として取り扱われるようになる。このため、制御部５０に対して入金確定の指令が送られた後、一時保留用収納カセット４２から各収納カセット４０に紙幣を搬送する間に、搬送部３０において紙幣のジャム等の搬送エラーが生じたときには、搬送エラーに係る紙幣を操作者は紙幣処理装置１０から一旦取り出した後、この搬送エラーに係る紙幣、または搬送エラーに係る紙幣と同一の金額または金種の紙幣を紙幣処理装置１０内に受け入れさせる必要がある。
【００３９】
また、図５のフローチャートに示すような紙幣の出金処理が行われる場合、紙幣が通過センサ４４により検出するまでは、各収納カセット４０から搬送部３０に繰り出された紙幣は、紙幣処理装置１０内の紙幣として取り扱われるようになる。このため、制御部５０に対して紙幣の出金処理の指令が送られた後、各収納カセット４０から入出金口２０に紙幣を搬送する間に、搬送部３０において通過センサ４４を通過する前に紙幣のジャム等の搬送エラーが生じたときには、搬送エラーに係る紙幣を操作者は紙幣処理装置１０から一旦取り出した後、この搬送エラーに係る紙幣、または搬送エラーに係る紙幣と同一の金額または金種の紙幣を紙幣処理装置１０内に受け入れさせる必要がある。
【００４０】
また、図４のフローチャートに示すような紙幣の入金処理が行われた後、この入金処理により各収納カセット４０に収納された紙幣が出金される場合には、各収納カセット４０から入出金口２０に送られる各紙幣の記番号は既に記憶部５６に記憶されているが、紙幣処理装置１０の外部から、補充用の紙幣が収納された収納カセット４０を紙幣処理装置１０内にセットした場合には、この収納カセット４０に収納された補充用の紙幣の記番号は制御部５０にとって知られていない状態となる。このような場合は、紙幣の出金処理を行う際に、収納カセット４０から搬送部３０に繰り出された紙幣を識別部３１に送り、識別部３１において紙幣の金種等の識別を行うとともに紙幣の記番号の読み取りを行う。そして、識別部３１を通過した紙幣が入出金口２０に送られる際に、搬送部３０において通過センサ４４を通過する前に紙幣のジャム等の搬送エラーが生じたときも、前述の場合と同様に、搬送エラーに係る紙幣を操作者は紙幣処理装置１０から一旦取り出した後、この搬送エラーに係る紙幣と同一の記番号の紙幣を紙幣処理装置１０内に受け入れさせることとなる。
【００４１】
なお、識別部３１を通過した紙幣が入出金口２０に送られる際に、搬送部３０において通過センサ４４を通過する前に紙幣のジャム等の搬送エラーが生じたときに、当該搬送エラーに係る紙幣が正券ではないと識別部３１により識別されていた場合には、具体的には搬送エラーに係る紙幣が例えば損券であると識別部３１により識別されていた場合には、制御部５０において同一記番号紙幣受入モードから同一金額／金種紙幣受入モードに切り替えられるようになる。この場合には、搬送エラーに係る紙幣を操作者が紙幣処理装置１０から一旦取り出した後、この搬送エラーに係る紙幣と同一の金額または金種の紙幣を紙幣処理装置１０内に受け入れさせることができるようになる。
【００４２】
以下、搬送部３０において紙幣のジャム等の搬送エラーが生じたときの動作について図６に示すフローチャートを用いて具体的に説明する。
【００４３】
図６のフローチャートに示すように、搬送部３０において紙幣のジャム等の搬送エラーが生じると（図６のＳＴＥＰ１）、搬送エラーに係る紙幣を操作者は紙幣処理装置１０から一旦取り出す（図６のＳＴＥＰ２）。そして、搬送エラーに係る紙幣が正券であると識別部３１により識別されていた場合において（図６のＳＴＥＰ３の「ＹＥＳ」）、制御部５０において同一記番号紙幣受入モードが設定されている場合には（図６のＳＴＥＰ４の「ＹＥＳ」）、制御部５０は同一記番号紙幣受入モードを実行する（図６のＳＴＥＰ５）。
【００４４】
同一記番号紙幣受入モードが実行された場合、制御部５０は、搬送エラーに係る紙幣の記番号に基づいて、同一の記番号の紙幣のみを紙幣処理装置１０内に受け入れ可能とする。この場合には、搬送エラーに係る紙幣が紙幣処理装置１０から取り出された後、この搬送エラーに係る紙幣を入出金口２０に投入したときには、入出金口２０から搬送部３０に紙幣が繰り出され識別部３１によりこの紙幣の記番号が読み取られたときに、搬送エラーに係る紙幣と記番号が同一であると認識される（図６のＳＴＥＰ６の「ＹＥＳ」）。この場合には、この紙幣は紙幣処理装置１０内に受け入れられる（図６のＳＴＥＰ７）。具体的には、この紙幣は各収納カセット４０や一時保留用収納カセット４２に収納される。
【００４５】
一方、搬送エラーに係る紙幣が紙幣処理装置１０から取り出された後、この搬送エラーに係る紙幣とは異なる紙幣を入出金口２０に投入したときには、入出金口２０から搬送部３０に紙幣が繰り出され識別部３１によりこの紙幣の記番号が読み取られたときに、搬送エラーに係る紙幣と記番号が異なると認識される（図６のＳＴＥＰ６の「ＮＯ」）。この場合には、この紙幣は紙幣処理装置１０内に受け入れられず、搬送部３０により入出金口２０に戻される（図６のＳＴＥＰ８）。また、この場合、表示部５２にエラー紙幣であることを示すメッセージが表示される。
【００４６】
また、搬送部３０において紙幣のジャム等の搬送エラーが生じ（図６のＳＴＥＰ１）、搬送エラーに係る紙幣を操作者が紙幣処理装置１０から一旦取り出したときに（図６のＳＴＥＰ２）、搬送エラーに係る紙幣が正券ではない（例えば損券等）と識別部３１により識別されていた場合には（図６のＳＴＥＰ３の「ＮＯ」）、制御部５０は同一金額／金種紙幣受入モードを実行する（図６のＳＴＥＰ９）。搬送エラーに係る紙幣が正券ではないと識別されていたときに、このような正券ではないと識別された紙幣を紙幣処理装置１０内に受け入れるのは好ましくないからである。なお、この場合、表示部５２における表示がエラー戻し画面から損券登録画面に移行し、操作者が操作部５４により損券登録を行うようになっていてもよい。また、搬送エラーに係る紙幣が正券であると識別部３１により識別されていた場合でも（図６のＳＴＥＰ３の「ＹＥＳ」）、制御部５０において予め同一記番号紙幣受入モードが設定されていない場合には（図６のＳＴＥＰ４の「ＮＯ」）、制御部５０において同一金額／金種紙幣受入モードが設定されているとして、制御部５０はこの同一金額／金種紙幣受入モードを実行する（図６のＳＴＥＰ９）。
【００４７】
同一金額／金種紙幣受入モードが実行された場合には、制御部５０は、搬送エラーに係る紙幣と同一の金額または金種の紙幣を紙幣処理装置１０内に受け入れ可能とする。この場合には、搬送エラーに係る紙幣が紙幣処理装置１０から取り出された後、この搬送エラーに係る紙幣と同一の金額または金種の紙幣を入出金口２０に投入したときには、入出金口２０から搬送部３０に紙幣が繰り出され識別部３１によりこの紙幣の金種等が識別されたときに、搬送エラーに係る紙幣と同一の金額または金種の紙幣であると認識され（図６のＳＴＥＰ１０の「ＹＥＳ」）、この紙幣は紙幣処理装置１０内に受け入れられる（図６のＳＴＥＰ１１）。なお、入出金口２０に投入される紙幣は、搬送エラーに係る紙幣と同一の金額である場合には、複数枚であってもよい。例えば、搬送エラーに係る紙幣が一万円札であった場合に、１０枚の千円札を入出金口２０に投入してもよい。そして、紙幣処理装置１０に紙幣が受け入れられた後、制御部５０において、搬送エラーに係る紙幣の記番号と、搬送エラーが生じた後に紙幣処理装置１０内に受け入れられ識別部３１に読み取られた紙幣の記番号とが関連付けられ記憶部５６に記憶される（図６のＳＴＥＰ１２）。このことにより、搬送エラーに係る紙幣と、搬送エラーが生じた後に紙幣処理装置１０内に受け入れられた紙幣が異なる場合でも、紙幣の管理の厳正化を図ることができ、違算の発生を抑制することができる。
【００４８】
一方、搬送エラーに係る紙幣が紙幣処理装置１０から取り出された後、この搬送エラーに係る紙幣とは金額や金種が異なる紙幣を入出金口２０に投入したときには、入出金口２０から搬送部３０に紙幣が繰り出され識別部３１によりこの紙幣の金種等が識別されたときに、搬送エラーに係る紙幣と金額や金種が異なると認識され（図６のＳＴＥＰ１０の「ＮＯ」）、この紙幣は紙幣処理装置１０内に受け入れられず、搬送部３０により入出金口２０に戻される（図６のＳＴＥＰ１３）。また、この場合、表示部５２にエラー紙幣であることを示すメッセージが表示される。
【００４９】
上述のようにして、搬送部３０において紙幣のジャム等の搬送エラーが生じた場合でも、制御部５０が同一記番号紙幣受入モードを実行したときには搬送エラーに係る紙幣のみを紙幣処理装置１０内に受け入れさせることができ、また、制御部５０が同一金額／金種紙幣受入モードを実行したときには搬送エラーに係る紙幣と同一の金額または金種の紙幣を紙幣処理装置１０内に受け入れさせることができるので、このような搬送エラーに起因する違算の発生を抑制することができるようになる。
【００５０】
以上のように本実施の形態の紙幣処理装置１０によれば、識別部３１は紙幣の少なくとも金種の識別を行うとともに、紙幣の記番号を読み取るようになっており、制御部５０は、搬送部３０において紙幣の搬送エラーが生じたときに、当該搬送エラーに係る紙幣の記番号に基づいて、同一の記番号の紙幣のみを紙幣処理装置１０内に受け入れ可能とする同一記番号紙幣受入モードを実行することができるようになっている。このため、同一記番号紙幣受入モードが制御部５０において実行されたときには、搬送エラーに係る紙幣のみしか紙幣処理装置１０内に受け入れさせることができないようになるので、紙幣の管理の厳正化を図ることができ、紙幣のジャム等の搬送エラーが発生した場合でも違算の発生を抑制することができる。
【００５１】
また、本実施の形態の紙幣処理装置１０においては、制御部５０は、搬送部３０において紙幣の搬送エラーが生じたときに、当該搬送エラーに係る紙幣と同一の金額または金種の紙幣を紙幣処理装置１０内に受け入れ可能とする同一金額／金種紙幣受入モードも実行することができるようになっており、制御部５０において、同一記番号紙幣受入モードまたは同一金額／金種紙幣受入モードのうちいずれか一方の紙幣受入モードが実行されるようになっている。このため、搬送エラーに係る紙幣が損券等であり紙幣処理装置１０内に受け入れさせるのに好ましくない場合、制御部５０において同一金額／金種紙幣受入モードを選択することにより、搬送エラーに係る紙幣と同一の金額または金種の紙幣を紙幣処理装置１０内に受け入れさせることができるようになり、紙幣処理装置１０の運用上、融通が利くという利点がある。また、顧客に紙幣を至急に支払わなければならず、搬送エラーに係る紙幣を顧客に支払ってしまった場合でも、金種または金額が同じであれば搬送エラーに係る紙幣とは異なる紙幣を紙幣処理装置１０内に受け入れさせることができるようになり融通が利くという利点がある。
【００５２】
また、本実施の形態の紙幣処理装置１０においては、搬送部３０において紙幣の搬送エラーが生じたときに、当該搬送エラーに係る紙幣が正券ではないと識別部３１により識別されていた場合には、制御部５０において同一金額／金種紙幣受入モードが選択されるようになっている。このことにより、搬送エラーに係る紙幣が正券ではなく紙幣処理装置１０内に受け入れさせるのに好ましくない場合、金種または金額が同じであれば搬送エラーに係る紙幣とは異なる紙幣を紙幣処理装置１０内に受け入れさせることができるようになる。
【００５３】
また、本実施の形態の紙幣処理装置１０においては、同一金額／金種紙幣受入モードが実行される際に、制御部５０において、搬送エラーに係る紙幣の記番号と、搬送エラーが生じた後に紙幣処理装置１０内に受け入れられ識別部３１により読み取られた紙幣の記番号とが関連付けられるようになっている。このことにより、搬送エラーに係る紙幣と、搬送エラーが生じた後に紙幣処理装置１０内に受け入れられた紙幣とが異なるものである場合でも、紙幣の管理の厳正化を図ることができ、違算の発生を抑制することができる。
【００５４】
なお、本発明による紙幣処理装置は、上記の態様に限定されるものではなく、様々の変更を加えることができる。
【００５５】
例えば、制御部は、同一記番号紙幣受入モードおよび同一金額／金種紙幣受入モードのうちいずれか一方の紙幣受入モードを実行するものに限定されることはない。他の制御部としては、同一記番号紙幣受入モードのみを実行するようなものが用いられてもよい。
【００５６】
また、本発明による紙幣処理装置は、図１乃至図３に示すような構成のものに限定されることはない。本発明による紙幣処理装置の他の構成を図７乃至図９に示す。なお、図７は、本発明による紙幣処理装置の他の構成の外観を示す斜視図であり、図８は、図７に示す紙幣処理装置におけるバラ紙幣処理部の内部の構成を示す構成図であり、図９は、図７に示す紙幣処理装置における帯封紙幣処理部の内部の構成を示す構成図である。
【００５７】
図７に示すように、紙幣処理装置１００は、帯封紙幣（例えば１００枚の紙幣が帯封紙で巻かれたもの）を処理する帯封紙幣処理部１００ａと、バラ紙幣を処理するバラ紙幣処理部１００ｂとを備えている。帯封紙幣処理部１００ａおよびバラ紙幣処理部１００ｂは、互いの対向面側において連結されている。図７に示すように、帯封紙幣処理部１００ａは、帯封紙幣を出金するためのシャッター開閉式の帯封紙幣出金口１１１と、帯封紙幣を装置外に回収するためのシャッター開閉式の帯封紙幣放出口１１２とを有している。バラ紙幣処理部１００ｂは、バラ紙幣を入金するためのバラ紙幣入金口１１３と、バラ紙幣を出金するためのバラ紙幣出金口１１４とを有している。
【００５８】
バラ紙幣処理部１００ｂの構成の詳細について図８を用いて説明する。図８に示すように、バラ紙幣処理部１００ｂは、入金部１１７に入金されたバラ紙幣を金種毎にバラ紙幣カセット１２３ａ〜１２３ｄに収納するとともに、各バラ紙幣カセット１２３ａ〜１２３ｄに収納された紙幣を取り出して、出金部１２６等から出金するものである。
【００５９】
図８に示すように、このバラ紙幣処理部１００ｂは、大きく分けて、入出金処理部１１５とバラ紙幣収納部１１６とから構成されている。
【００６０】
入出金処理部１１５は、バラ紙幣の入金を受け付けて入金搬送経路Ｒ１に送出する入金部１１７と、入金されたバラ紙幣の金種、真偽、正損等を識別するとともにバラ紙幣の記番号を読み取る入金識別部１１８と、入金識別部１１８によって取扱不可と判断された紙幣を排出する入金リジェクト部（入金ＲＪ部）１１９とを備えている。入金部１１７および入金リジェクト部１１９は、シャッター開閉式のバラ紙幣入金口１１３を介して、その内部を、開放可能に構成されている。入金識別部１１８の下流側に配置された表裏反転部１２０は、入金識別部１１８によって取扱可能と判断された紙幣の表裏を所定の向きに統一して送り出すようになっている。表裏反転部１２０の更に下流側には、上述したバラ紙幣収納部１１６が配置されている。
【００６１】
バラ紙幣収納部１１６は、入金搬送経路Ｒ１を搬送されてきたバラ紙幣を受け取って、一時的に保留する一時保留部１２１、１２２ａ〜１２２ｄと、一時保留部１２１、１２２ａ〜１２２ｄに一時的に保留された紙幣を収納する、バラ紙幣一括カセット１２４およびバラ紙幣カセット１２３ａ〜１２３ｄとを備えている。
【００６２】
各バラ紙幣カセット１２３ａ〜１２３ｄは、それぞれ特定の金種のバラ紙幣を収納するようになっている。一方、バラ紙幣一括カセット１２４は、バラ紙幣カセット１２３ａ〜１２３ｄによって取り扱われない金種の紙幣を収納するようになっている。また、バラ紙幣一括カセット１２４は、各バラ紙幣カセット１２３ａ〜１２３ｄにバラ紙幣が入りきらなくなった場合に、各バラ紙幣カセット１２３ａ〜１２３ｄに代わってバラ紙幣を収納するようになっている。
【００６３】
各バラ紙幣カセット１２３ａ〜１２３ｄの下部には、出金時にバラ紙幣を搬送する出金搬送経路Ｒ２が形成されている。なお、バラ紙幣一括カセット１２４内のバラ紙幣の回収は、筐体の前面を開いて、カセットごと回収するようになっている。
【００６４】
出金搬送経路Ｒ２の途中には、出金時にバラ紙幣の金種、真偽、正損等を識別するとともにバラ紙幣の記番号を読み取る出金識別部１２５が形成されている。この出金識別部１２５の下流側において、出金搬送経路Ｒ２は、出金部１２６、出金リジェクト部（出金ＲＪ部）１２８、およびスタッカ１２９ａ、１２９ｂに分岐するようになっている。
【００６５】
出金部１２６は、出金識別部１２５によって正常な紙幣と判断された紙幣を出金搬送経路Ｒ２から取り込むようになっている。バラ紙幣処理部１００ｂは、開閉シャッター式のバラ紙幣出金口１１４を開いて、出金部１２６内の紙幣を取り出し可能状態に置くようになっている。
【００６６】
出金リジェクト部１２８は、出金識別部１２５により取扱不可と判断されたバラ紙幣を回収するようになっている。
【００６７】
スタッカ１２９ａ、１２９ｂは、帯封紙幣処理部１００ａにバラ紙幣を搬送して帯封する際に、帯封に必要な枚数分（例えば１００枚）を一時的に積み重ねた状態で収納するようになっている。
【００６８】
入金搬送経路Ｒ１と出金搬送経路Ｒ２との間にはバイパス経路Ｒ３が形成されている。入金された紙幣をそのまま帯封する場合等には、このバイパス経路Ｒ３を介して入金された紙幣を直接スタッカ１２９ａ、１２９ｂに搬送するようになっている。
【００６９】
スタッカ１２９ａ、１２９ｂの後方には、これらのスタッカ１２９ａ、１２９ｂ内からバラ紙幣の束を受け取って帯封紙幣処理部１００ａに搬送する束紙幣搬送ユニット１３０が設けられている。
【００７０】
束紙幣搬送ユニット１３０は、スタッカ１２９ａ、１２９ｂ内からバラ紙幣の束を受け取る一対の把持部１３０ａと、把持部１３０ａに保持されたバラ紙幣の束を帯封紙幣処理部１００ａに移動する移動部１３０ｂとを備えている。把持部１３０ａは、前後方向に伸縮可能に構成されるとともに、上下２つのスタッカ１２９ａ、１２９ｂのそれぞれに対応して移動可能に構成されている。
【００７１】
次に、帯封紙幣処理部１００ａの構成の詳細について図９を用いて説明する。図９に示すように、帯封紙幣処理部１００ａは、バラ紙幣処理部１００ｂから移動されたバラ紙幣の束を帯封して、金種別に帯封紙幣カセット１４４ａ〜１４４ｅに収納するとともに、帯封紙幣カセット１４４ａ〜１４４ｅ内に収納された帯封紙幣を取り出して、帯封紙幣出金口１１１または帯封紙幣放出口１１２から出金するものである。
【００７２】
図９に示すように、帯封紙幣処理部１００ａは帯封部１４１を備えている。この帯封部１４１は、バラ紙幣の束を束紙幣搬送ユニット１３０から受け取り、受け取ったバラ紙幣の束を帯封紙Ｗで帯封するようになっている。帯封部１４１は、帯封された状態のバラ紙幣の束、すなわち帯封紙幣を搬送経路Ｒ４内に送出するようになっている。
【００７３】
図９に示すように、搬送経路Ｒ４には帯封紙幣識別部１４５が設けられている。この帯封紙幣識別部１４５は、当該搬送経路Ｒ４で搬送される帯封紙幣のうち最外層（最上層または最下層）の紙幣の金種等の識別を行うとともに、この最外層の紙幣の記番号を読み取るようになっている。
【００７４】
また、帯封紙幣処理部１００ａは、帯封紙幣を載せた状態で昇降通路１４３内を垂直方向に移動して、目的の高さまで移動可能な昇降ステージ１４２を備えている。この昇降ステージ１４２が移動する昇降通路１４３は、上述の搬送経路Ｒ４と連通しており、昇降ステージ１４２は、図９における高さｈ２の位置にて、搬送経路Ｒ４から帯封紙幣を受け取るようになっている。
【００７５】
また、帯封紙幣処理部１００ａは、帯封紙幣を収納する帯封紙幣カセット１４４ａ〜１４４ｅを備えている。帯封紙幣カセット１４４ａ〜１４４ｅに帯封紙幣を収納する際には、昇降ステージ１４２は高さｈ３まで移動し、昇降通路１４３と帯封紙幣カセット１４４ａ〜１４４ｅとを連結する搬送経路Ｒ５内に帯封紙幣を送り出すようになっている。各帯封紙幣カセット１４４ａ〜１４４ｅはそれぞれ特定の金種の帯封紙幣を収納するようになっている。そして、帯封紙幣識別部１４５により識別された帯封紙幣の金種に基づいて、搬送経路Ｒ５に送られた帯封紙幣は対応する金種の帯封紙幣カセット１４４ａ〜１４４ｅに収納されるようになっている。
【００７６】
各帯封紙幣カセット１４４ａ〜１４４ｅは、出金時には、保有する帯封紙幣を昇降ステージ１４２（高さｈ３）に向けて送り出し、帯封紙幣を受け取った昇降ステージ１４２は、出金時用の高さｈ１まで移動する。帯封紙幣処理部１００ａは、開閉シャッター式の帯封紙幣出金口１１１を開いて、昇降ステージ１４２上の帯封紙幣を取り出し可能状態に置く。一方、帯封紙幣の回収時には、昇降ステージ１４２は、回収用の高さｈ４まで移動する。帯封紙幣処理部１００ａは、開閉シャッター式の帯封紙幣放出口１１２を開いて、昇降ステージ１４２上の帯封紙幣を取り出し可能状態に置く。
【００７７】
また、図９に示すように、帯封紙幣処理部１００ａには、帯封紙幣処理部１００ａやバラ紙幣処理部１００ｂの各構成要素の制御を行う制御部１５０が設けられている。この制御部１５０には記憶部１５２が接続されている。記憶部１５２には、帯封紙幣処理部１００ａやバラ紙幣処理部１００ｂによる紙幣の処理状況や、各識別部１１８、１２５、１４５によって読み取られた紙幣の記番号、およびバラ紙幣処理部１００ｂのバラ紙幣カセット１２３ａ〜１２３ｄやバラ紙幣一括カセット１２４に収納された紙幣の金種毎の枚数や金額等の在高、ならびに帯封紙幣処理部１００ａの帯封紙幣カセット１４４ａ〜１４４ｅに収納された帯封紙幣の金種毎の束数や金額等の在高が記憶されるようになっている。
【００７８】
本発明による紙幣処理装置１００では、帯封紙幣識別部１４５により帯封紙幣における最外層にある紙幣の識別および記番号の読み取りが行われた後に、搬送経路Ｒ４や搬送経路Ｒ５で帯封紙幣のジャム等の搬送エラーが生じたときに、以下の処理が行われるようになっている。すなわち、帯封紙幣識別部１４５を通過した後に搬送経路Ｒ４や搬送経路Ｒ５で帯封紙幣のジャム等の搬送エラーが生じた場合には、操作者は紙幣処理装置１００からこの帯封紙幣を一旦取り出す。そして、帯封紙幣の帯封紙Ｗを破ってバラ紙幣（例えば１００枚のバラ紙幣）とし、これらのバラ紙幣をバラ紙幣処理部１００ｂの入金部１１７に投入する。入金部１１７に投入されたバラ紙幣は入金搬送経路Ｒ１に送出され、入金識別部１１８により紙幣の記番号が読み取られる。
【００７９】
ここで、入金部１１７に投入され入金識別部１１８により記番号が読み取られた複数のバラ紙幣（例えば、１００枚のバラ紙幣）に、搬送エラーに係る帯封紙幣における最外層にある紙幣の記番号（すなわち、帯封紙幣識別部１４５により読み取られた紙幣の記番号）のものが含まれている場合には、制御部１５０は、入金部１１７に投入されたバラ紙幣を、バラ紙幣処理部１００ｂ内に受け入れるよう制御を行う。具体的には、入金部１１７に投入され入金識別部１１８により記番号が読み取られた複数のバラ紙幣に、搬送エラーに係る帯封紙幣における最外層にある紙幣の記番号のものが含まれている場合には、これらの複数のバラ紙幣はスタッカ１２９ａ、１２９ｂに送られたり、あるいは一時保留部１２１、１２２ａ〜１２２ｄやバラ紙幣一括カセット１２４、バラ紙幣カセット１２３ａ〜１２３ｄに収納されたりする。一方、入金部１１７に投入され入金識別部１１８により記番号が読み取られた複数のバラ紙幣に、搬送エラーに係る帯封紙幣における最外層にある紙幣の記番号のものが含まれていない場合には、これらの複数のバラ紙幣がバラ紙幣処理部１００ｂ内に受け入れられないようにする。具体的には、これらの複数のバラ紙幣を出金部１２６に送り、操作者により取り出されるようにする。
【００８０】
このように、制御部１５０は、搬送経路Ｒ４や搬送経路Ｒ５において帯封紙幣の搬送エラーが生じたときに、帯封紙幣識別部１４５により読み取られた、搬送エラーに係る帯封紙幣における最外層にある紙幣の記番号に基づいて、紙幣処理装置１００のバラ紙幣処理部１００ｂに投入された複数のバラ紙幣に、前述の記番号のバラ紙幣が含まれている場合には、これらの複数のバラ紙幣をバラ紙幣処理部１００ｂ内に受け入れるよう入金搬送経路Ｒ１や出金搬送経路Ｒ２、バイパス経路Ｒ３の制御を行うようになっている。上述のような紙幣処理装置１００によれば、帯封紙幣のジャム等の搬送エラーが生じた場合であっても、搬送エラーに係る帯封紙幣を構成するバラ紙幣のみしか紙幣処理装置１００内に受け入れさせることができないようになるので、紙幣の管理の厳正化を図ることができ、帯封紙幣のジャム等の搬送エラーが発生した場合でも違算の発生を抑制することができる。
【００８１】
また、本発明による紙幣処理装置１００では、更なる変形例として、以下のような動作が行われるようになっていてもよい。すなわち、入金部１１７に投入され入金搬送経路Ｒ１に送出されたバラ紙幣について、入金識別部１１８によりその記番号が読み取られた後、スタッカ１２９ａ、１２９ｂに送られ、そして、束紙幣搬送ユニット１３０に所定の枚数（例えば１００枚）のバラ紙幣の束が帯封部１４１に送られた後、この帯封部１４１で帯封紙幣が形成され、その後、この帯封紙幣が搬送経路Ｒ４や搬送経路Ｒ５で帯封紙幣のジャム等の搬送エラーが生じた場合には、操作者は紙幣処理装置１００からこの帯封紙幣を一旦取り出す。そして、帯封紙幣の帯封紙Ｗを破ってバラ紙幣（例えば１００枚のバラ紙幣）とし、これらのバラ紙幣をバラ紙幣処理部１００ｂの入金部１１７に投入する。入金部１１７に投入されたバラ紙幣は入金搬送経路Ｒ１に送出され、入金識別部１１８により紙幣の記番号が読み取られる。この際に、制御部１５０は、帯封部１４１に送られる前に入金識別部１１８により読み取られた、搬送エラーに係る帯封紙幣を構成する各バラ紙幣の記番号（すなわち、最初に入金識別部１１８により読み取られたバラ紙幣の記番号）と、搬送エラーが生じた後にバラ紙幣処理部１００ｂに投入され入金識別部１１８により読み取られた各バラ紙幣の記番号とが一致する場合には、このバラ紙幣をバラ紙幣処理部１００ｂ内に受け入れるよう入金搬送経路Ｒ１や出金搬送経路Ｒ２、バイパス経路Ｒ３の制御を行うようになっていてもよい。
【符号の説明】
【００８２】
１０  紙幣処理装置
１２  筐体
２０  入出金口
２１  紙幣繰出機構
２２  シャッター機構
２４  入金リジェクト部
２６  出金リジェクト部
３０  搬送部
３０ａ  搬送路
３１  識別部
３６  分岐部材
４０  収納カセット
４１  紙幣繰出機構
４２  一時保留用収納カセット
４３  紙幣繰出機構
４４  通過センサ
５０  制御部
５２  表示部
５４  操作部
５６  記憶部
５８  インターフェース
６０  印字部
１００  紙幣処理装置
１００ａ  帯封紙幣処理部
１００ｂ  バラ紙幣処理部
１１１  帯封紙幣出金口
１１２  帯封紙幣放出口
１１３  バラ紙幣入金口
１１４  バラ紙幣出金口
１１５  入出金処理部
１１６  バラ紙幣収納部
１１７  入金部
１１８  入金識別部
１１９  入金リジェクト部
１２０  表裏反転部
１２１  一時保留部
１２２ａ〜１２２ｄ  一時保留部
１２３ａ〜１２３ｄ  バラ紙幣カセット
１２４  バラ紙幣一括カセット
１２５  出金識別部
１２６  出金部
１２８  出金リジェクト部
１２９ａ、１２９ｂ  スタッカ
１３０  束紙幣搬送ユニット
１３０ａ  把持部
１３０ｂ  移動部
１４１  帯封部
１４２  昇降ステージ
１４３  昇降通路
１４４ａ〜１４４ｅ  帯封紙幣カセット
１４５  帯封紙幣識別部
１５０  制御部
１５２  記憶部
Ｒ１  入金搬送経路
Ｒ２  出金搬送経路
Ｒ３  バイパス経路
Ｒ４  搬送経路
Ｒ５  搬送経路
【図１】
0005535802.tif 000002
【図２】
0005535802.tif 000003
【図３】
0005535802.tif 000004
【図４】
0005535802.tif 000005
【図５】
0005535802.tif 000006
【図６】
0005535802.tif 000007
【図７】
0005535802.tif 000008
【図８】
0005535802.tif 000009
【図９】
0005535802.tif 000010